(57)【要約】【課題】画像欠けや白スジの発生を低減させること。【解決手段】画像記録装置の搬送手段は、記録媒体を挟持して搬送するための搬送部材を搬送方向において前記記録ヘッドよりも上流側に備え、且つ、記録媒体を挟持して搬送するための搬送部材を前記搬送方向において前記記録ヘッドよりも下流側に備えていない。そして、画像記録装置の制御手段は、後端余白情報が示す後端余白長が第１の長さよりも短い場合、搬送方向における記録媒体の後端が記録ヘッドよりも上流側に備えられた搬送部材を通過した後に、画像を記録するための記録ヘッドの走査が少なくとも１回行われるように、記録ヘッド及び搬送手段を制御する。【選択図】図１０
2019130896.tif 000002
【特許請求の範囲】
【請求項１】
走査方向に複数回走査することにより記録媒体上に画像を記録する記録ヘッドと、
前記走査方向と交差する搬送方向に前記記録媒体を搬送する搬送手段と、
前記搬送方向における後端余白長を示す後端余白情報を含む、前記画像の画像データに基づいて、前記記録ヘッド及び前記搬送手段を制御する制御手段と、
を備える画像記録装置であって、
前記搬送手段は、前記記録媒体を挟持して搬送するための搬送部材を前記搬送方向において前記記録ヘッドよりも上流側に備え、且つ、前記記録媒体を挟持して搬送するための搬送部材を前記搬送方向において前記記録ヘッドよりも下流側に備えておらず、
前記後端余白情報が示す後端余白長が第１の長さよりも短い場合、前記制御手段は、前記搬送方向における前記記録媒体の後端が前記記録ヘッドよりも上流側に備えられた前記搬送部材を通過した後に、前記画像を記録するための前記記録ヘッドの走査が少なくとも１回行われるように、前記記録ヘッド及び前記搬送手段を制御することを特徴とする画像記録装置。
【請求項２】
前記後端余白情報が示す後端余白長が第１の長さよりも短い場合、前記制御手段は、前記記録媒体に記録される前記画像の前記搬送方向の後端と、前記記録媒体の前記搬送方向の後端と、の長さが、前記第１の長さよりも短い第２の長さになるように、前記記録ヘッド及び前記搬送手段を制御することを特徴とする請求項１に記載の画像記録装置。
【請求項３】
前記画像データは、前記画像の前記搬送方向における画像長を示す画像長情報をさらに含み、
前記制御手段は、前記後端余白情報及び前記画像長情報に基づいて先端余白長を設定し、設定された前記先端余白長で前記画像が記録されるように前記記録ヘッド及び前記搬送手段を制御することを特徴とする請求項２に記載の画像記録装置。
【請求項４】
前記制御手段は、前記搬送方向における前記記録媒体の長さから、前記画像長と前記第２の長さを除いた長さを、前記先端余白長に設定することを特徴とする請求項３に記載の画像記録装置。
【請求項５】
前記搬送方向における前記記録媒体の長さを検出する検出手段を更に備えることを特徴とする請求項４に記載の画像記録装置。
【請求項６】
前記後端余白情報が示す後端余白長が前記第１の長さよりも長い場合、前記制御手段は、前記記録ヘッドよりも上流側に設けられた前記搬送部材に前記記録媒体が挟持された状態で、前記画像の前記搬送方向の先端から後端までが記録されるように、前記記録ヘッド及び前記搬送手段を制御する請求項１から５のいずれか一項に記載の画像記録装置。
【請求項７】
前記制御手段は、前記記録媒体上の単位領域に対する前記記録ヘッドの前記複数回の走査で画像が記録されるように、前記記録ヘッド及び前記搬送手段を制御することを特徴とする請求項１から６のいずれか一項に記載の画像記録装置。
【請求項８】
前記記録ヘッドよりも前記搬送方向において上流側に備えられた搬送部材はローラ対であることを特徴とする請求項１から７のいずれか一項に記載の画像記録装置。
【請求項９】
前記第２の長さは、前記記録ヘッドよりも上流側に備えられた前記搬送部材による放出によって前記記録媒体が搬送された位置に対応する後端余白長であることを特徴とする請求項２から５のいずれか一項に記載の画像記録装置。
【請求項１０】
前記記録ヘッドと対向する位置に配され、前記記録媒体を裏面から支持するプラテンをさらに備えることを特徴とする請求項１から９のいずれか一項に記載の画像記録装置。
【請求項１１】
前記プラテンにおいて、前記記録媒体を保持するための保持力を生成する生成手段をさらに備えることを特徴とする請求項１０に記載の画像記録装置。
【請求項１２】
前記生成手段は、吸引ファンを用いて前記プラテンに吸引力を生成することを特徴とする請求項１１に記載の画像記録装置。
【請求項１３】
前記記録ヘッドにより前記記録媒体に対する前記画像の記録動作が終了した後、前記生成手段が前記保持力の生成を停止することにより前記記録媒体が自重によって排出されることを特徴とする請求項１１または１２に記載の画像記録装置。
【請求項１４】
前記検出手段は、前記記録ヘッドよりも上流側に備えられた前記搬送部材よりも前記搬送方向の上流側で前記記録媒体を検出する第一の検出手段と、当該搬送部材よりも前記搬送方向の下流側で前記記録媒体を検出する第二の検出手段と、を有し、
前記検出手段は、前記第一の検出手段で検出した前記記録媒体の後端の位置と、前記第二の検出手段で検出した前記記録媒体の先端の位置と、前記第一の検出手段で前記記録媒体の後端を検出した位置から前記第二の検出手段で前記記録媒体の先端を検出した位置までの搬送量と、に基づいて前記記録媒体の長さを検出することを特徴とする請求項５に記載の画像記録装置。
【請求項１５】
インクを吐出する複数の吐出口が前記搬送方向に設けられた前記記録ヘッドを前記記録媒体に対して前記走査方向に走査させながら前記記録媒体に画像を記録する記録動作と、前記搬送手段が前記搬送方向に前記記録媒体を搬送する搬送動作と、を繰り返すことにより前記記録媒体に画像を記録するインクジェット記録装置であることを特徴とする請求項１から１４のいずれか一項に記載の画像記録装置。
【請求項１６】
走査方向に複数回走査することにより記録媒体に画像を記録する記録ヘッドと、前記走査方向と交差する搬送方向に前記記録媒体を搬送する搬送手段と、を備える画像記録装置のための制御方法であって、
前記搬送手段は、前記記録媒体を挟持して搬送するための搬送部材を前記搬送方向において前記記録ヘッドよりも上流側に備え、且つ、前記記録媒体を挟持して搬送するための搬送部材を前記搬送方向において前記記録ヘッドよりも下流側に備えておらず、
前記画像の画像データに含まれる後端余白情報が示す前記搬送方向における後端余白長が第１の長さよりも短い場合、前記搬送方向における前記記録媒体の後端が前記記録ヘッドよりも上流側に備えられた前記搬送部材を通過した後に、前記画像を記録するための前記記録ヘッドの走査が少なくとも１回行われるように前記記録ヘッド及び前記搬送手段が制御されることを特徴とする画像記録装置の制御方法。
【発明の詳細な説明】
【技術分野】
【０００１】
本発明は、画像記録装置およびその制御方法に関する。
【背景技術】
【０００２】
パーソナルコンピュータ等のＯＡ機器から出力された画像データに基づいて、紙、布、プラスチックシート等の多種多様な記録媒体に対して記録ヘッドにより画像を記録する記録装置がある。
【０００３】
特許文献１には、記録ヘッドを、記録媒体の搬送方向に対して直交する方向に移動させるキャリッジにセンサを設け、記録媒体の先端位置を検出する記録装置が開示されている。また、特許文献１の記録装置は、搬送ローラ対の上流側にセンサを設け、記録媒体の後端位置を検出する。そして、記録媒体の先端を検出した位置から後端を検出した位置までの搬送量を測定している。キャリッジのセンサと搬送ローラ対の上流側のセンサとの距離、及び、記録媒体の先端を検出した位置から後端を検出した位置までの搬送量から、カット紙となる記録媒体の搬送方向長さが検出される。
【先行技術文献】
【特許文献】
【０００４】
【特許文献１】特開２０１７−７１１９４号公報
【発明の概要】
【発明が解決しようとする課題】
【０００５】
特許文献１では、記録媒体の搬送方向長さを検出しているが、画像の長さや余白長によっては、記録される画像において画像欠けや白スジが発生する場合がある。
【０００６】
本発明は、画像欠けや白スジの発生を低減させることを目的とする。
【課題を解決するための手段】
【０００７】
本発明の一態様に係る画像記録装置は、走査方向に複数回走査することにより記録媒体上に画像を記録する記録ヘッドと、前記走査方向と交差する搬送方向に前記記録媒体を搬送する搬送手段と、前記搬送方向における後端余白長を示す後端余白情報を含む、前記画像の画像データに基づいて、前記記録ヘッド及び前記搬送手段を制御する制御手段と、を備える画像記録装置であって、前記搬送手段は、前記記録媒体を挟持して搬送するための搬送部材を前記搬送方向において前記記録ヘッドよりも上流側に備え、且つ、前記記録媒体を挟持して搬送するための搬送部材を前記搬送方向において前記記録ヘッドよりも下流側に備えておらず、前記後端余白情報が示す後端余白長が第１の長さよりも短い場合、前記制御手段は、前記搬送方向における前記記録媒体の後端が前記記録ヘッドよりも上流側に備えられた前記搬送部材を通過した後に、前記画像を記録するための前記記録ヘッドの走査が少なくとも１回行われるように、前記記録ヘッド及び前記搬送手段を制御することを特徴とする。
【発明の効果】
【０００８】
本発明によれば、画像欠けや白スジの発生を低減させることができる。
【図面の簡単な説明】
【０００９】
【図１】記録装置の模式的斜視図である。
【図２】記録装置の模式的断面図である。
【図３】制御構成を示す概略ブロック図である。
【図４】構成部品の搬送方向の配置関係を示す図である。
【図５】カット紙給紙時の状態の一例を示す模式的断面図である。
【図６】カット紙給紙時の状態の一例を示す模式的断面図である。
【図７】カット紙の画像記録時の状態の一例を示す模式的断面図である。
【図８】記録媒体に画像記録した状態を示す説明図である。
【図９】画像記録手順を示すフローチャートである。
【図１０】カット紙画像記録時の状態の一例を示す模式的断面図である。
【図１１】画像記録手順を示すフローチャートである。
【発明を実施するための形態】
【００１０】
以下、本発明の実施形態について、図面を参照して説明する。なお、以下の実施形態は本発明を限定するものではなく、また、本実施形態で説明されている特徴の組み合わせの全てが本発明の解決手段に必須のものとは限らない。なお、同一の構成については、同じ符号を付して説明する。
【００１１】
＜＜実施形態１＞＞
＜画像記録装置の構成＞
図１は、画像記録装置１００（以下、単に記録装置という）の模式的斜視図である。本実施形態の記録装置１００は、記録ヘッド３に設けられた吐出口からインク滴を吐出することにより記録媒体上に画像を記録するインクジェット記録方式の画像記録装置である。そして、記録媒体としてのカット紙（カットシート）およびロール紙等の連続紙（連続シート）の両方に画像を記録することが可能である。記録装置１００は、本体部１０１と、本体部１０１を支える脚部１０２とを備える。本体部１０１の外観部には、種々の記録情報、及び、設定結果等を表示し、記録媒体の情報や記録モード等を設定するため操作パネル１０３が配されている。
【００１２】
図２は、図１に示す記録装置１００をＩＩ−ＩＩ線で切断した模式的断面図である。搬送ローラ１および従動ローラ２は、記録媒体２０１を挟持し搬送する搬送手段として、記録部の搬送方向Ｙの上流側に配設された上流搬送ローラ対（以下、単に搬送ローラ対とも言う）３１を構成する。搬送ローラ対３１は、搬送ローラ１が図３に示す搬送モータ５１によって回転駆動されることにより記録媒体２０１を搬送する。第１センサ２１は、搬送ローラ１および従動ローラ２の搬送ローラ対３１の搬送方向Ｙの上流側に配されている。第１センサ２１は、発光素子と受光素子を有しており、発光素子から光を照射し、その反射光を受光素子で受光することにより搬送路内における記録媒体２０１の有無を判別可能としている。
【００１３】
記録ヘッド３には、搬送方向Ｙに沿ってインクを吐出するための複数の吐出口が設けられている。キャリッジ４は、記録ヘッド３、及び、第２センサ２２を搭載し、走査ガイドとしてのキャリッジシャフト５に沿って紙面に垂直な方向に往復移動可能に案内支持されている。第２センサ２２は、様々なＬＥＤを搭載しており、記録媒体２０１の上方から発光素子により光を照射し、その反射光を受光することにより、記録媒体２０１の有無、及び、厚さ等を検出することができる。これにより透明なフィルム等の紙ではないものまで多くの種類の記録媒体２０１の端部位置も検出可能となる。
【００１４】
プラテン６は、記録ヘッド３と対向する位置に配され、記録媒体２０１を裏面（第２面）から案内支持し、記録ヘッド３と記録媒体２０１とのギャップを保証している。プラテン６上には、画像を記録する領域である画像記録領域が含まれる。プラテン６には複数の吸気孔が形成されており、ダクト７を介して吸引ファン５２に接続されている。吸引ファン５２を駆動することにより、プラテン６の吸気孔に吸引負圧が発生し、画像記録中の記録媒体２０１を背面から吸引し、プラテン６上に吸着保持する保持力が生成される。カッタ８は、画像記録領域の搬送方向Ｙの下流側に設けられ、記録媒体２０１としてロール状のロール紙が使用されている場合等に、記録媒体２０１を所定長さに切断することができる。
【００１５】
記録媒体２０１の先端が搬送ローラ１と従動ローラ２に挟持されると、記録装置１００は、搬送モータ５１を回転駆動する。これにより記録媒体２０１の先端が、プラテン６上に所定量搬送される。プラテン６上の画像記録領域において、キャリッジ４が移動しているときに記録ヘッド３により１ライン分の画像を記録すると、記録装置１００は、再び記録媒体２０１を搬送ローラ１と従動ローラ２により搬送方向に所定量だけ搬送する。そして、キャリッジ４を再び移動させて次のラインの画像記録を行う。これを繰り返してページ全体に画像が記録される。即ち、記録ヘッド３は、走査方向に複数回走査することにより記録媒体２０１上に画像を記録する。
【００１６】
尚、本実施形態の記録装置１００は、記録部の搬送方向Ｙの下流側に排出ローラ対（搬送部材）を備えていない。排出ローラ対を備えることで、記録媒体２０１の後端が搬送ローラ対３１から離れた後であっても記録動作が可能であり、記録媒体の後端近傍まで即ち比較的少ない余白長で画像を記録することができる。しかしながら、画像が記録された面に、排出ローラ対の従動ローラあるいは拍車が直接触れることにより、記録された画像の品位を損ねてしまうおそれがある。このような理由から、本実施形態の記録装置１００は、記録部から排出口までの間に、排出ローラ対等の記録媒体２０１を挟持して搬送するための部材を備えていない。尚、画像の記録が終了した後、搬送ローラ対３１の挟持から外れ、プラテン６による吸引力から解放された記録媒体２０１は、自重により排出口から排出され、バスケット等の積載部（不図示）に保持される。
【００１７】
＜ブロック図＞
図３は、画像記録システムの制御構成の一実施形態を示す概略ブロック図である。図３を参照して、記録装置１００を含む画像記録システムの制御構成についての概略を説明する。
【００１８】
画像記録システムは、コンピュータ３００と記録装置１００とを含む。図３において、コンピュータ３００は、プリンタドライバ３０１を有する。本実施形態においてプリンタドライバ３０１は、画像長設定部３０２を備えている。画像長設定部３０２は、記録する画像の長さ（図８（ａ）に示す画像長５０１。詳細は後述する。）をユーザに設定させるためのものである。
【００１９】
記録装置１００は、制御部４００を有する。制御部４００は、搬送モータ５１、吸引ファン５２、キャリッジモータ５３、及び、記録ヘッド３の制御を行うためのものである。制御部４００は、不図示のＣＰＵ、ＲＯＭ、ＲＡＭ、及び、モータドライバ等を具備しており、主制御部４０１、搬送制御部４０２、及び、画像形成制御部４０３を有する。主制御部４０１は、用紙長判定部４１１、及び、画像長特定部４１２を備えている。主制御部４０１は、プリンタドライバ３０１の画像長設定部３０２で設定された画像長の設定値に応じて、搬送制御部４０２及び画像形成制御部４０３に対して指示を与える。
【００２０】
用紙長判定部４１１は、記録装置１００にセットされた用紙長Ｌを判定するためのものである。用紙長Ｌの判定方法については後述する。画像長特定部４１２は、プリンタドライバ３０１から受信した画像長設定部３０２の設定値から画像長５０１を判定するためのものである。すなわち、画像長特定部４１２は、記録ジョブに含まれている画像データ（情報）を参照して画像長５０１を特定する。主制御部４０１は、用紙長判定部４１１で判定された用紙長と、画像長特定部４１２で特定された画像長との情報に基づいて、搬送制御部４０２および画像形成制御部４０３に指示を出力する。搬送制御部４０２は、主制御部４０１からの指示に応じて搬送モータ５１を駆動させて記録媒体２０１を搬送させる。画像形成制御部４０３は、主制御部４０１からの指示に応じてキャリッジモータ５３と記録ヘッド３とを連携させて、然るべき位置に画像を形成する。
【００２１】
＜搬送制御と用紙長の検出＞
次に、図４、図５、及び図６を参照して、カット紙給紙時の搬送制御方法及び用紙長の検出方法について説明する。図４は、搬送方向の配置関係を示す図である。図５および図６は、カット紙給紙時の状態の一例を示す模式的断面図である。
【００２２】
図４において、距離Ｌ１は、第１センサ２１と搬送ローラ対３１の挟持点（ニップ部）との距離である。距離Ｌ２は、搬送ローラ対３１の挟持点と第２センサ２２との距離である。距離Ｌ３は、搬送ローラ対３１の挟持点と記録ヘッド３の最上流吐出口との距離である。距離Ｌ４は、記録ヘッド３の搬送方向Ｙに対する記録可能幅（最上流吐出口〜最下流吐出口の距離）である。距離Ｌ５は、記録媒体２０１を搬送ローラ対３１で挟持した状態のまま記録ヘッド３による画像記録が可能な記録媒体２０１の後端位置と、搬送ローラ対３１の挟持点との距離である。なお、図４は説明のための模式図であり、各距離のスケール感は、図に示すものとは限らない。
【００２３】
図５（ａ）は、カット紙としての記録媒体２０１を記録装置１００にセットした状態を示している。記録媒体２０１のセット時は、従動ローラ２の離間機構（不図示）により搬送ローラ１と従動ローラ２とによるニップ状態を解放し、その間に記録媒体２０１が差し込まれる。そして、従動ローラ２の離間機構（不図示）を戻すことにより搬送ローラ１と従動ローラ２とで記録媒体２０１が挟持されることとなる。なお、搬送ローラ１と従動ローラ２とによる記録媒体２０１の挟持方法としては、搬送モータ５１を記録媒体２０１の噛み込み方向に回転させた状態で、記録媒体２０１の先端もしくは後端がニップ部に差し込まれることでも可能である。
【００２４】
そして、搬送モータ５１を回転駆動することにより、搬送方向Ｙに記録媒体２０１が搬送される。記録媒体２０１の後端が第１センサ２１の位置まで搬送されると、第１センサ２１による判別が、記録媒体２０１有りから無しに変化する。この判別を受けて搬送制御部４０２は、搬送モータ５１の回転駆動を停止する。図５（ｂ）は、第１センサ２１による判別が、記録媒体２０１有りから無しに変化した状態を示しており、これにより記録媒体２０１の後端位置が検出される。次いで、搬送制御部４０２は、搬送ローラ１が逆回転するように搬送モータ５１を回転駆動する。これにより搬送方向Ｙと逆方向に記録媒体２０１が搬送される。記録媒体２０１の先端が第２センサ２２の位置まで搬送されると、第２センサ２２による判別が記録媒体２０１有りから無しに変化する。この判別を受けて搬送制御部４０２は、搬送モータの回転駆動を停止する。
【００２５】
図６（ａ）は、第２センサ２２による判別が記録媒体２０１有りから無しに変化した状態を示しており、これにより記録媒体２０１の先端位置が検出される。ここで、第１センサ２１が記録媒体２０１の後端を検出した図５（ｂ）に示す位置から、第２センサ２２が記録媒体２０１の先端を検出した図６（ａ）に示す位置までの搬送量（搬送距離）を、図６（ａ）に示すように搬送量５１０とする。ここで、図６（ａ）に示すように、記録媒体２０１の用紙長Ｌは、搬送量５１０＋距離Ｌ１＋距離Ｌ２で検出可能となる（図４も参照）。搬送制御部４０２は、図６（ａ）の状態から、引き続き、記録媒体２０１の先端を搬送ローラ対３１の挟持点近傍まで搬送し、記録媒体が図６（ｂ）に示す位置した状態で待機する。
【００２６】
＜画像記録時の搬送制御＞
ここで、本実施形態において課題となる、記録された画像における画像欠けについて説明する。例えば、Ａ２サイズ（４２０ｍｍ×５９４ｍｍ）のカット紙に画像を記録する場合、記録媒体の搬送方向には、先端余白、画像長、及び後端余白が順に配置される。先端余白及び後端余白は、記録装置若しくはプリンタドライバ等で予め設定（例えば、それぞれ３ｍｍなど）されている。従って、このカット紙を搬送方向に５９４ｍｍ搬送する設定の場合は、記録可能な画像長は５８８ｍｍ（記録媒体の搬送方向長さ（５９４ｍｍ）−先端余白（３ｍｍ）−後端余白（３ｍｍ））となる。このカット紙に最大の画像長の画像を記録したい場合、プリンタドライバ等から５８８ｍｍの画像長となるジョブが送信される。ここで、記録装置にセットされるカット紙は、切断公差や環境（温度、湿度）等により搬送方向長さはばらつくことがある。カット紙サイズが大きいほど、カット紙の長さのばらつきも大きくなる。例えば、Ａ２サイズのカット紙が、搬送方向長さ５９０ｍｍに縮んでいたとする。このとき、Ａ２サイズのカット紙に対応する５８８ｍｍの画像長となるジョブが送信されると、先端余白（３ｍｍ）となる書き出し位置への頭出し量分を搬送し、先端から３ｍｍの位置から画像を記録される。すると、本来５８８ｍｍの長さの画像の全ての領域を記録するためには後端余白を０ｍｍにしてもカット紙の長さが１ｍｍ足りない。そのため、ユーザが所望した画像に対して画像欠けが発生する。
【００２７】
これに対し本実施形態では、カット紙記録において画像欠けが発生しないような搬送制御を行う。図４、図５、図６、図７及び図８を参照して、カット紙の画像記録時の搬送制御方法を説明する。図７は、カット紙の画像記録時の状態の一例を示す模式的断面図である。図８は、記録媒体に画像を記録した状態を示す説明図である。
【００２８】
図７（ａ）は、記録媒体２０１に画像を記録している状態を示している。図６（ｂ）に示す記録媒体２０１の待機位置から、搬送制御部４０２が搬送モータ５１を回転駆動することにより、搬送方向Ｙに記録媒体２０１が搬送される。このとき、搬送制御部４０２は、先端余白長Ｍ１、記録ヘッド３の使用吐出口位置、及び、パス（１）の記録長５０２を考慮した搬送量になるように搬送方向Ｙに記録媒体２０１を搬送する。そして、画像形成制御部４０３の制御により、記録ヘッド３による１ライン分のパス（１）の記録長５０２分の画像が記録される。ここで、パスとは、キャリッジ４の往動または復動による１ライン分の移動に伴う記録動作を指している。また、パス（１）とは、最初の（１パス目の）記録動作のことを指している。
【００２９】
その後、搬送制御部４０２は、搬送モータ５１を回転駆動することにより、パス（２）の記録長５０２分だけ搬送方向Ｙに記録媒体２０１を搬送し、画像形成制御部４０３による制御によってパス（２）の記録長５０２分の画像が記録される。これらをパス（ｎ−１）まで繰り返す。ここで、記録媒体２０１への最終パスによる画像記録をパス（ｎ）とする。
【００３０】
図７（ｂ）は、記録媒体２０１に最終パス（ｎ）の画像を記録している状態を示している。図７（ｂ）は、画像欠けが生じていない例を示している。すなわち、図７（ｂ）は、記録媒体２０１の用紙長Ｌが、記録ジョブに含まれている、先端余白長Ｍ１と、画像長５０１と、後端余白長Ｍ２との合計長さと同じ場合において記録媒体２０１に最終パス（ｎ）の画像を記録している状態を示している。
【００３１】
最終パス（ｎ）の画像記録前の搬送時、記録媒体２０１の用紙長Ｌによっては、第１センサ２１で記録媒体２０１の後端位置が検出される。搬送ローラ１と従動ローラ２との搬送ローラ対３１で記録媒体２０１を挟持した状態で最終パス（ｎ）の画像を記録する場合、記録媒体２０１の後端が搬送ローラ対３１の挟持点を越えないように搬送制御する必要がある。このため、本実施形態で搬送制御部４０２は、第１センサ２１で記録媒体２０１の後端位置を検出した場合、記録媒体２０１の後端が、搬送ローラ対３１の挟持点から距離Ｌ５分だけ上流側となる位置を搬送限界として記録媒体２０１の搬送制御を行う。図７（ｂ）において、記録媒体２０１の後端は、搬送ローラ対３１の挟持点から距離Ｌ５分だけ上流側の搬送限界点に位置している。そして、記録ヘッド３の最上流吐出口から記録長５０３分の吐出口を使用して画像を記録することにより、画像長５０１全域が記録可能となる。その際の画像記録状態は図８（ａ）に示している。図８（ａ）では、記録媒体２０１の用紙長Ｌが、記録ジョブとして受信した、先端余白長Ｍ１と、画像長５０１と、後端余白長Ｍ２と、の合計の長さと同じ場合に、記録媒体２０１に画像が記録された画像記録状態を示している。
【００３２】
一方、図８（ｂ）は、記録媒体２０１の用紙長Ｌが、記録ジョブとして受信した先端余白長Ｍ１と画像長５０１と後端余白長Ｍ２との合計長さよりも短い場合における画像記録状態を示している。最終パス（ｎ）の画像記録前の記録長５０３分の搬送途中に、記録媒体２０１の後端位置が搬送限界点となる位置まで搬送されるため、搬送ローラ対３１の挟持点から距離Ｌ５分だけ上流側の位置で搬送は停止する。そのため、画像長５０１の画像を記録するためには記録長５０３分の搬送が必要なのに対し、記録長５０４分の搬送しかできない状態となっている。そして、記録ヘッド３により画像が記録されるが、記録ヘッド３の最上流吐出口を使用しても、記録長５０５分（記録長５０３分−記録長５０４分）の画像を記録することができない。したがって、記録長５０５分の画像欠けが発生してしまう。
【００３３】
プリンタドライバ３０１の画像長設定部３０２では、所定の用紙長に対応する、先端余白長を示す先端余白情報、画像長を示す画像長情報、および後端余白長を示す後端余白情報が設定される。そして、これらの情報を含む記録ジョブがプリンタドライバ３０１から主制御部４０１に送られる。記録媒体の用紙長が、ユーザ（あるいはプリンタドライバ３０１）が認識している用紙長と一致していれば図８（ａ）のような画像記録状態になる。しかしながら、記録媒体の用紙長は、切断公差や環境（温度、湿度）等により搬送方向長さにばらつくことがある。この結果、記録媒体の用紙長Ｌが、ユーザ（あるいはプリンタドライバ３０１）が認識している用紙長よりも短い場合、図８（ｂ）のような画像記録状態となり、画像欠けが生じる。
【００３４】
なお、図８（ｂ）において記録長５０５分の長さは、記録ジョブに含まれている先端余白長Ｍ１と画像長５０１と後端余白長Ｍ２との合計長さに対する記録媒体２０１の用紙長Ｌの差分となる。
【００３５】
そこで、本実施形態では、記録媒体２０１の用紙長Ｌが、プリンタドライバ３０１から受信した記録ジョブに含まれている先端余白長Ｍ１と画像長５０１と後端余白長Ｍ２の合計長さより短い場合、図８（ｃ）のように記録媒体２０１に画像を記録する。すなわち、先端余白長を、記録ジョブに含まれている先端余白長Ｍ１よりも短い先端余白長Ｍ３とする制御を行う。図８（ｃ）の例において、記録ジョブに含まれている先端余白長Ｍ１と画像長５０１と後端余白長Ｍ２との合計長さに対する記録媒体２０１の用紙長Ｌの差分の長さは、図８（ｂ）に示す記録長５０５分と同じとする。搬送制御部４０２は、パス（１）の画像記録前の搬送時、記録長５０２分の画像書き出し位置（記録開始位置）が、記録ジョブに含まれている先端余白長Ｍ１から記録長５０５分を除した長さになるように、記録媒体２０１を搬送する。その際の先端余白長をＭ３とする。先端余白長Ｍ３は、Ｍ３＝Ｍ１−記録長５０５である。このように、搬送制御部４０２は、先端余白長を、記録ジョブで受信した先端余白長Ｍ１から、先端余白長Ｍ３に変更する。具体的には、搬送制御部４０２は、画像書き出し位置（先端余白長）を、先端余白長Ｍ３となるように変更する。先端余白長をＭ１からＭ３に変更することにより、変更後の先端余白長Ｍ３と画像長５０１と後端余白長Ｍ２との合計長さは、記録媒体２０１の用紙長Ｌと同じになる。従って、記録ジョブに含まれる画像長５０１の画像を、記録媒体２０１上において全て記録することができるようになる。
【００３６】
＜フローチャート＞
次に、図９を参照して、本実施形態に係る画像記録における一連の動作について説明する。図９は、画像記録処理を示すフローチャートである。図９は、主制御部４０１が、プリンタドライバ３０１から、カット紙の記録ジョブを受信した場合の処理を示している。なお、記録媒体２０１の用紙長Ｌは、カット紙の記録ジョブの受信前の時点において図５および図６で説明した制御によって用紙長判定部４１１で判定されているものとする。
【００３７】
図９のステップＳ９０１において、カット紙の記録媒体２０１が給紙されている状態（すなわち、用紙長判定部４１１でカット紙の用紙長Ｌが判定されている状態）で、主制御部４０１は、カット紙の記録ジョブを受信する。ステップＳ９０２において主制御部４０１は、搬送制御部４０２を制御し、吸引ファン５２を駆動する。ステップＳ９０３において主制御部４０１は、操作パネル１０３等でユーザによって設定された画像記録モードを確認する。画像記録モードは、先端余白優先モードと画像欠け低減モードとを含む。先端余白優先モードは、記録ジョブとして受信した先端余白長Ｍ１で画像を記録するモードである。画像欠け低減モードは、記録ジョブとして受信した先端余白長Ｍ１を先端余白長Ｍ３に調整することにより、記録媒体２０１の用紙長Ｌが短い場合でも、記録ジョブとして受信した画像長５０１を維持して記録するモードである。画像記録モードが先端余白優先モードの場合、ステップＳ９０４に進み、画像欠け低減モードの場合、ステップＳ９１２に進む。
【００３８】
先端余白優先モードの場合、ステップＳ９０４において搬送制御部４０２は、搬送モータ５１を先端余白がＭ１になる頭出し搬送量分だけ回転駆動する。次にステップＳ９０５において画像形成制御部４０３は、キャリッジモータ５３と記録ヘッド３とを制御し、パス（１）の記録長５０２分の画像を記録媒体２０１に記録する。その後、ステップＳ９０６において搬送制御部４０２は、搬送モータ５１を記録長５０２分だけ回転駆動する。ステップＳ９０７で搬送制御部４０２は、記録媒体２０１の後端位置が搬送限界の位置に搬送されたかを判定する。記録媒体２０１の後端位置が搬送限界の位置でない場合、ステップＳ９０８で記録長５０２分の画像が記録される。ステップＳ９０９において主制御部４０１は、画像の記録が終了したか、すなわち、最終パス（ｎ）の記録長５０３分の画像の記録が行われたかを判定する。終了していなければ、ステップＳ９０６に戻り、終了している場合、ステップＳ９１０に進む。このように、ステップＳ９０６の搬送制御とステップＳ９０８の画像の記録とが、記録媒体の後端位置が搬送限界の位置となるまで、または、最終パスとなるパス（ｎ）の記録長５０３分の画像が記録されるまで、繰り返される。ステップＳ９１０において搬送制御部４０２は、吸引ファン５２の駆動を停止する。そして、ステップＳ９１１に進み、主制御部４０１は、スタンバイ状態となる。
【００３９】
なお、ステップＳ９０６で搬送モータ５１を記録長分だけ回転駆動している途中で記録媒体２０１の後端位置が搬送限界点となる搬送ローラ対３１の挟持点から距離Ｌ５分だけ上流側の位置に搬送された場合、ステップＳ９１５に進む。ステップＳ９１５において搬送制御部４０２は、搬送モータ５１の回転駆動を停止する。その場合、ステップＳ９１６に進み、画像形成制御部４０３は、記録媒体２０１を搬送した分だけ画像を記録する。その際の後端余白長は、搬送限界点から記録ヘッド３の最上流吐出口までの距離（Ｌ３＋Ｌ５）が最小となる（図７（ｂ）参照）。
【００４０】
一方、画像記録モードが画像欠け低減モードの場合、ステップＳ９１２において主制御部４０１は、記録媒体２０１の用紙長Ｌと、記録ジョブに含まれる先端余白長Ｍ１と画像長５０１と後端余白長Ｍ２との合計長さと、を比較する。記録媒体２０１の用紙長Ｌは、記録媒体２０１の給紙時に測定されているものである。用紙長Ｌが、先端余白長Ｍ１と画像長５０１と後端余白長Ｍ２との合計長さと同じ場合、ステップＳ９０４に進む。そして、前述のように、搬送制御部４０２は、搬送モータ５１を先端余白がＭ１になる頭出し搬送量分だけ回転駆動し、ステップＳ９０５で画像形成制御部４０３は、パス（１）の記録長５０２分の画像を記録する。
【００４１】
一方、用紙長Ｌが、先端余白長Ｍ１と画像長５０１と後端余白長Ｍ２との合計長さと同じでない場合、ステップＳ９１３に進む。そして、先端余白長Ｍ１を、先端余白長Ｍ１と画像長５０１と後端余白長Ｍ２との合計長さと、用紙長Ｌとの差分に応じた先端余白長Ｍ３になるように搬送制御部４０２は、搬送モータ５１を回転駆動する。即ち、搬送制御部４０２は、先端余白長を、先端余白長Ｍ３となるように決定する。そして、搬送制御部４０２は、先端余白が、決定した先端余白長Ｍ３になる頭出し搬送量分だけ搬送モータ５１を回転駆動する。次いで、ステップＳ９１４で画像形成制御部４０３は、パス（１）の記録長５０２分の画像を記録する。そして、ステップＳ９０６に進み、先端余白優先モードで説明した処理と同様の処理が行われる。
【００４２】
ステップＳ９１３において、より具体的には、用紙長Ｌが、先端余白長Ｍ１と画像長５０１と後端余白長Ｍ２との合計長さより短い場合、その差分だけ先端余白長Ｍ１を短くした先端余白長Ｍ３になるように搬送モータ５１を回転駆動する。一方、用紙長Ｌが、先端余白長Ｍ１と画像長５０１と後端余白長Ｍ２との合計長さより長い場合、その差分分だけ先端余白長Ｍ１を長くした先端余白長Ｍ３になるように搬送モータ５１を回転駆動する。
【００４３】
このように、本実施形態では、画像欠け低減モードの場合、記録媒体２０１の後端位置から画像書き出し位置（記録開始位置）までの距離を、画像長５０１と後端余白長Ｍ２との合計長さ分確保できるように、先端余白長を調整している（図７、図８参照）。
【００４４】
なお、用紙長Ｌが、先端余白長Ｍ１と画像長５０１と後端余白長Ｍ２との合計長さより長い場合、その差分の分だけ先端余白長Ｍ１を長くした先端余白長Ｍ３になるように搬送モータ５１を回転駆動する例を説明したが、これに限られない。用紙長Ｌが、先端余白長Ｍ１と画像長５０１と後端余白長Ｍ２との合計長さより長い場合、図８（ｂ）で説明したような画像欠けは生じないので、先端余白長を調整後の先端余白長Ｍ３ではなく、記録ジョブに含まれる先端余白長Ｍ１にしてもよい。
【００４５】
また、用紙長判定部４１１による用紙長Ｌの判定が、カット紙の記録ジョブを受信する前の、カット紙が給紙された時点で行われている場合を例に挙げて説明したが、これに限られない。例えば、ステップＳ９０３で画像欠け低減モードと判定された場合に、ステップＳ９１２の判定を行う前に、用紙長Ｌの判定が行われても良い。
【００４６】
以上説明したように、本実施形態では、記録ジョブとして受信した先端余白長Ｍ１と画像長５０１と後端余白長Ｍ２との合計長さと、記録媒体２０１の用紙長Ｌとを比較する処理が行われる。そして、用紙長Ｌのほうが短いと判定すると、先端余白長が短くなるように書き出し位置（記録開始位置）への頭出し搬送量を調整している。そのため、用紙長Ｌが短い場合でも画像長５０１の画像欠けを低減することができる。このように、本実施形態の記録装置は、記録媒体の搬送方向の用紙長がばらついた場合でも、画像欠けを低減することが可能となる。
【００４７】
なお、本実施形態では、インクを吐出する複数の吐出口（ノズル）が第１方向に配列した吐出口列（ノズル列）を有する記録ヘッドを記録媒体に対して第１方向と交差する第２方向に移動させながら記録媒体に画像を記録する記録動作を行う。また、第１方向に記録媒体を搬送する搬送動作を行う。この記録動作と搬送動作と、を交互に繰り返す。これにより記録媒体に画像を記録する形態（シリアル型の記録装置）を説明した。しかしながら、本発明はこの例に限られるものではない。インクを吐出する複数の吐出口が記録媒体の幅に対応した距離分、第２方向に配置した吐出口列を有する記録ヘッドに対し、第１方向に記録媒体を搬送する搬送動作を行うことにより、記録媒体に画像を記録する形態（ライン型の記録装置）でもよい。
【００４８】
＜＜実施形態２＞＞
実施形態１では、記録媒体２０１の後端が、搬送ローラ対３１の挟持点から距離Ｌ５分だけ上流側となる位置を搬送限界とし、搬送ローラ対３１により記録媒体２０１が挟持された状態で最終パスの画像が記録される形態を説明した。本実施形態では、この搬送限界を超えて記録媒体２０１を搬送し、搬送ローラ対３１で記録媒体２０１が挟持されていない状態で最終パスの画像が記録される形態を説明する。即ち、搬送ローラ対３１を通過した後に、記録ヘッドの走査が少なくとも１回行われる形態を説明する。このような構成により、実施形態１における後端余白長よりも、さらに短い後端余白長で画像を記録することができる。実施形態１と同じ構成要素に関しては、同一符号を用い、その説明は割愛する。
【００４９】
図１０は、本実施形態におけるカット紙の画像記録時の状態の一例を示す模式的断面図である。図１０を参照して、カット紙の画像記録時の搬送制御方法を説明する。
【００５０】
図１０においては、後端余白長Ｍ２が、距離Ｌ３（搬送ローラ対３１の挟持点と記録ヘッド３の最上流吐出口との距離）より短い状態で記録媒体２０１に画像が記録されている。後端余白長Ｍ２が、距離Ｌ３より短い状態とは、図１０に示すように、記録媒体２０１が、搬送ローラ対３１によって挟持されていない状態である。つまり、実施形態１で説明した搬送限界点（記録媒体２０１の後端位置が搬送ローラ対３１の挟持点から距離Ｌ５分だけ上流側にある位置）を越えて記録媒体２０１が搬送され、搬送ローラ対３１で記録媒体２０１が挟持されない状態で画像が記録される。このような場合、記録媒体２０１は、最終パス（ｎ）の記録長５０３分の搬送途中において、搬送ローラ１と従動ローラ２との挟持から解放された状態での搬送になる。
【００５１】
搬送ローラ１と従動ローラ２との挟持から解放された状態での搬送力は、搬送ローラ１が回転することによる搬送ローラ１と記録媒体２０１の後端部との摩擦力、および、挟持から解放される際の慣性力となり、搬送力が小さく不安定となる。そのため、搬送ローラ１と従動ローラ２との挟持から解放された状態での搬送の場合、搬送モータ５１による回転量を大きく設定したり、吸引ファン５２による記録媒体保持力を弱めたりする。このように、搬送ローラ１と記録媒体２０１の後端部との摩擦力と、慣性力とで搬送可能な位置Ｅまで記録媒体２０１の後端位置が搬送される。したがって、後端余白長Ｍ２＜距離Ｌ３（搬送ローラ対３１の挟持点と記録ヘッド３の最上流吐出口との距離）の場合の最終パス（ｎ）の画像記録位置（記録長５０３）は、記録媒体２０１の後端位置（搬送可能な位置Ｅ）によって決まる。以下、説明のため、距離Ｌ３よりも後端余白長Ｍ２が短いときの後端余白長のことを後端余白長Ｍ２１という。
【００５２】
搬送ローラ１と従動ローラ２との挟持による搬送に比べると、挟持から放出される際の搬送量の調整の精度が高くない。すなわち、記録媒体２０１の後端を搬送ローラ対３１の挟持点から搬送可能な位置Ｅの間の任意の位置に搬送することが困難である。例えば、挟持から放出される際の搬送量は、ｍｍ単位での制御は可能であるが、搬送ローラ１と従動ローラ２との挟持による搬送よりも調整の精度が高くない。
【００５３】
ここで、図１０に示すように、最終パス（ｎ）の記録長５０３となる記録媒体２０１の先端側記録位置を、先端側記録位置５０３Ｔとする。最終パス（ｎ）の記録長５０３の先端側記録位置５０３Ｔは、記録媒体２０１の後端から後端余白長Ｍ２１＋記録長５０３の距離だけ離れている。言い換えると、最終パス（ｎ）の記録長５０３の先端側記録位置５０３Ｔは、記録媒体２０１の先端から用紙長Ｌ−（後端余白長Ｍ２１＋記録長５０３）の位置となり、用紙長Ｌの影響を受けることになる。このように、本実施形態において画像後端における画像記録においては、記録媒体２０１の後端位置に基づいた位置に画像が記録されるように搬送制御が行われる。すなわち、最終パス（ｎ）では、記録媒体２０１の後端位置（搬送可能な位置Ｅ）に基づいた記録が行われる。
【００５４】
一方、パス（１）からパス（ｎ―１）の画像記録位置（記録長５０２）は、先端余白長Ｍ１によって決まる。すなわち、パス（１）の記録長５０２は、記録媒体２０１の先端から、先端余白長Ｍ１になる頭出し搬送量分だけ記録媒体２０１を搬送した後にパス（１）の記録長５０２が記録される。その後は、次のパスの記録長５０２分を搬送し画像が記録される。この搬送動作と記録動作とが繰り返される。このため、パス（１）からパス（ｎ―１）の画像記録位置（記録長５０２）は、先端余白長Ｍ１によって決まることになる。ここで、例えば、最終パスの一つ前のパス（ｎ―１）の記録長５０２となる記録媒体２０１の先端側記録位置を、図１０に示すように先端側記録位置５０２Ｔとする。パス（ｎ―１）の記録長５０２の先端側記録位置５０２Ｔは、記録媒体２０１の先端から先端余白長Ｍ１＋（記録長５０２×パス数（ｎ―２））の位置となる。ここで、最終パスの一つ前のパス（ｎ―１）の記録長５０２となる記録媒体２０１の後端側記録位置を、図１０のように後端側記録位置５０２Ｂとする。すると、後端側記録位置５０２Ｂは、先端余白長Ｍ１＋（記録長５０２×パス数（ｎ―１））となる。
【００５５】
ここで、最終パスの一つ前のパス（ｎ―１）と最終パス（ｎ）との関係について説明する。パス（ｎ―１）の後端側記録位置５０２Ｂとパス（ｎ）の先端側記録位置５０３Ｔとがずれた場合、記録画像にスジが入ってしまう恐れがある。例えば、パス（ｎ）の先端側記録位置５０３Ｔが、パス（ｎ―１）の後端側記録位置５０２Ｂよりも記録媒体２０１の先端側に位置してしまうと、パス（ｎ―１）の記録長５０２とパス（ｎ）の記録長５０３との一部が重なってしまう。一方、パス（ｎ）の先端側記録位置５０３Ｔが、パス（ｎ―１）の後端側記録位置５０２Ｂよりも記録媒体２０１の後端側に位置してしまうと、パス（ｎ―１）の記録長５０２とパス（ｎ）の記録長５０３とに隙間が生じる。その隙間には画像が記録されない。このため、記録媒体２０１が白い場合、白いスジが発生してしまう。このようなスジの発生を抑制するためには、パス（ｎ−１）の後端側記録位置５０２Ｂおよびパス（ｎ）の先端側記録位置５０３Ｔのうちの少なくとも一方を調整することが考えられる。
【００５６】
ここで、パス（ｎ―１）の後端側記録位置５０２Ｂは、前述したように先端余白長Ｍ１＋（記録長５０２×パス数（ｎ―１））である。したがって、パス（ｎ―１）の後端側記録位置５０２Ｂを調整するためには、先端余白長Ｍ１を変更しなければならない。これに対して、最終パス（ｎ）の先端側記録位置５０３Ｔは、前述したように用紙長Ｌ−（後端余白長Ｍ２１＋記録長５０３）である。したがって、パス（ｎ）の先端側記録位置５０３Ｔを調整するためには、後端余白長Ｍ２１を変更しなければならない。つまり、スジの発生を抑制するためには、先端余白長Ｍ１または後端余白長Ｍ２１を変更する必要がある。ここで、後端余白長Ｍ２１を変更することについては、前述したように、搬送ローラ１と従動ローラ２との挟持から解放される状態での搬送であるので、制御が困難である。そのため、本実施形態では、先端余白長Ｍ１を、用紙長Ｌ−（後端余白長Ｍ２１＋画像長５０１）となる位置に変更し、画像を記録している。すなわち、最終パス（ｎ）の先端側記録位置５０３Ｔではなく、パス（ｎ−１）の後端側記録位置５０２Ｂを変更することでパス（ｎ―１）の後端側記録位置５０２Ｂと最終パス（ｎ）の先端側記録位置５０３Ｔとの位置関係を調整する。これにより、記録画像におけるスジの発生を抑制することができる。なお、先端余白長Ｍ１を用紙長Ｌ−（後端余白長Ｍ２１＋画像長５０１）となる位置に変更する際の「後端余白長Ｍ２１」とは、前述したように、記録媒体２０１の後端位置（搬送可能な位置Ｅ）によって決まるものである。
【００５７】
なお、記録ジョブには、実施形態１で説明したように、先端余白長Ｍ１、画像長５０１、後端余白長Ｍ２が含まれている。本実施形態では、説明の便宜上、記録ジョブに含まれている後端余白長を、後端余白長Ｍ２２という。本実施形態では、記録ジョブに含まれている後端余白長Ｍ２２が、距離Ｌ３（搬送ローラ対３１の挟持点と記録ヘッド３の最上流吐出口との距離）より短いかを主制御部４０１が判定する。そして、後端余白長Ｍ２２が距離Ｌ３より短い場合、主制御部４０１は、搬送ローラ対３１から放出された後に最終パスの記録を行う放出搬送モードを実行することを決定する。そして、先端余白長Ｍ１を用紙長Ｌ−（後端余白長Ｍ２１＋画像長５０１）となる位置に設定する。このときの「後端余白長Ｍ２１」は、記録ジョブに含まれているものではなく、前述したように、記録媒体２０１の後端位置（搬送可能な位置Ｅ）によって定まるものである。尚、記録ジョブに後端余白長を示す数値が含まれている場合に限られず、例えば、記録される画像の位置に関する情報等であってもよく、放出搬送モードの実行を指示する情報であってもよい。
【００５８】
＜フローチャートの説明＞
図１１は、本実施形態におけるフローチャートの一例を示す図である。本実施形態で説明した記録モードは、実施形態１で説明した画像欠け低減モードと、先端余白優先モードとは別に、放出搬送モードとして設定可能である。図９と同様の処理については同じ符号を付し説明を省略する。
【００５９】
ステップＳ１１０３において主制御部４０１は、操作パネル１０３等でユーザによって設定された画像記録モードを確認する。画像欠け低減モードと先端余白優先モードについては実施形態１で説明した通りである。本実施形態では、主制御部４０１は、記録ジョブに含まれている後端余白長Ｍ２２が、予め不図示のメモリ等に記憶されている距離Ｌ３（搬送ローラ対３１の挟持点と記録ヘッド３の最上流吐出口との距離）より短いかを判定する。そして、後端余白長Ｍ２２が、距離Ｌ３より短い場合、放出搬送モードを実行することを決定し、ステップＳ１１１１に進む。
【００６０】
ステップＳ１１１１において搬送制御部４０２は、搬送モータ５１を、先端余白がＭ４となる頭出し搬送量分だけ回転駆動する。ここで、先端余白長Ｍ４は、前述したように、用紙長Ｌ−（後端余白長Ｍ２１＋画像長５０１）である。そしてステップＳ１１１２において画像の記録が行われる。
【００６１】
ステップＳ１１０６において最終パスかの判定が行われ、最終パスでない場合、ステップＳ１１０８に進み、搬送制御部４０２は搬送モータを次のパスの記録長分、駆動しステップＳ１１０９において画像の記録が行われ、最終パスと判定されるまで繰り返す。
【００６２】
最終パスと判定された場合、ステップＳ１１０７において搬送制御部４０２は、記録ジョブに含まれている後端余白長Ｍ２が、距離Ｌ３より短いかを判定する。後端余白長Ｍ２が距離Ｌ３より短くない場合、他のパスと同様にステップＳ１１０８に進む。一方、記録ジョブに含まれている後端余白長Ｍ２（すなわち、後端余白長Ｍ２２）が、距離Ｌ３より短い場合、ステップＳ１１２１に進み、搬送ローラ１と従動ローラ２との挟持から解放される状態での搬送が行われる。具体的には、最終パスの記録長５０３と放出搬送長分の搬送が行われる。即ち、ステップＳ１１２１においては、記録ジョブに含まれている後端余白長Ｍ２２が、距離Ｌ３（例えば２０ｍｍ）よりも短い場合、その値に関わらず、後端余白長は固定値（例えば１０ｍｍ）に変更されることになる。そして、ステップＳ１１０９に進み、画像の記録が行われる。
【００６３】
そして、最終パスの記録が終了すると、ステップＳ９１０において吸引ファン５２の駆動を停止する。前述したように、画像の記録中は、プラテン６に接続された吸引ファン５２の吸引力により記録媒体２０１が保持され、プラテン６前方より垂れ下がっている状態となる。そして、吸引ファンの駆動が停止すると、記録媒体２０１は、プラテン６による吸引力から解放される。本実施形態の記録装置１００は、プラテン６による吸引保持が停止されてから積載部に保持されるまでの間に記録媒体２０１を挟持して搬送するための部材を有していないため、記録媒体２０１は、自重によって排出口より排出され、積載部に保持される。
【００６４】
以上説明したように、本実施形態では、搬送ローラ１と従動ローラ２とで記録媒体２０１が挟持されていない状態で画像を記録する場合において、先端余白長を用紙長Ｌ−（後端余白長Ｍ２１＋画像長５０１）に変更し、画像を記録する。そのため、パス（ｎ―１）の記録長５０２と最終パス（ｎ）の記録長５０３との位置関係が適正になり、記録画像におけるスジの発生を抑制することができる。また、実施形態１の構成に比べて少ない後端余白長で画像を記録し、画像欠けの発生を抑制することができる。
【００６５】
尚、本実施形態では、最終パスの１つ前のパス（ｎ−１）までは記録媒体２０１が搬送ローラ対３１に挟持され、搬送ローラ対３１から放出され、挟持されていない状態で最終パスを記録する構成で説明した。しかし、記録媒体２０１が搬送ローラ対３１から放出された後、記録媒体２０１と記録ヘッド３との相対的な位置関係が変わらない状態であれば、その走査回数は１回に限るものではなく複数回でもよい。すなわち、記録媒体２０１が放出された後に、最終パスを含む少なくとも１回の走査で画像を記録する。このとき、１回の走査でインクを吐出する吐出口を一部に制限し、複数回の走査で画像の記録を完成させる構成であってもよい。また、記録媒体２０１が搬送ローラ対に挟持された状態で画像を記録する上でも、単位領域に対して複数回の走査によって画像を記録する、いわゆるマルチパス記録を行ってもよい。
【００６６】
尚、本実施形態の記録装置１００はインクジェット方式の記録装置を例に挙げて説明したが、本発明はインクジェット記録方式に限られるものではなく、記録ヘッドの複数回の走査で画像が記録されるものであれば、他の記録方式であっても構わない。
【００６７】
＜その他の実施形態＞
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００６８】
３  記録ヘッド
２１  第１センサ
２２  第２センサ
３１  搬送ローラ対
２０１  記録媒体
【図１】
2019130896.tif 000003
【図２】
2019130896.tif 000004
【図３】
2019130896.tif 000005
【図４】
2019130896.tif 000006
【図５】
2019130896.tif 000007
【図６】
2019130896.tif 000008
【図７】
2019130896.tif 000009
【図８】
2019130896.tif 000010
【図９】
2019130896.tif 000011
【図１０】
2019130896.tif 000012
【図１１】
2019130896.tif 000013